(57)【要約】  【課題】  コリメータレンズを省略し、それだけ、構成部材を省略することで軽量化し駆動に必要なエネルギを削減し、位置決め、固定、調整の手間と時間を省略して製造コストを削減し、レーザ光がコリメータレンズを透過するときのレーザ光の光量が減少したり、収差が発生したりするのを防止することでデータの記録及びデータの読出しを円滑且つ精度よく行う。  【解決手段】  レーザ光源Ｌｄと、レーザ光を３ビーム化するグレーティングＧｒと、ビームスプリッタＢｓと、凹曲面状に形成されている反射面３１を備えるミラー３と、対物レンズＬｂと、受光素子Ｐｄとを有している光ヘッドＡ。【選択図】      図３
2007058900.tif 000002
【特許請求の範囲】
【請求項１】
レーザ光を出射するレーザ光源と、前記レーザ光を３ビーム化するグレーティングと、
前記レーザ光の一部を反射し一部を透過するビームスプリッタと、前記レーザ光を反射し
該レーザ光の光路を屈曲させてコリメータレンズに向けて反射するミラーと、前記ミラー
で反射されたレーザ光を平行光にするコリメータレンズと、前記レーザ光を光ディスクに
照射するための対物レンズと、受光したレーザ光を電気信号に変換する受光素子と、前記
対物レンズを保持すると共に、前記光ディスクに正確にレーザ光を照射するように移動さ
せるアクチュエータと、前記レーザ光源、前記グレーティング、前記ビームスプリッタ、
前記ミラー、前記受光素子及び前記アクチュエータが固定されるスライドベースとを有し
、
前記光ディスクにレーザ光を照射し該光ディスクよりデータを読み出す又は光ディスク
にデータを記録する光ヘッドにおいて、
前記ミラーのレーザ光を反射する反射面が截頭球面状に形成され入射した発散光である
レーザ光を平行光として反射することができると共に、前記コリメータレンズを省略した
ことを特徴とする光ヘッド。
【請求項２】
レーザ光を出射するレーザ光源と、前記レーザ光を分光するビームスプリッタと、前記
レーザ光を反射し該レーザ光の光路を屈曲させるミラーと、前記レーザ光を平行光にする
コリメータレンズと、前記レーザ光を光ディスクに照射するための対物レンズと、受光し
たレーザ光を電気信号に変換する受光素子と、前記対物レンズを保持すると共に、前記光
ディスクに正確にレーザ光を照射するように移動させるアクチュエータと、前記レーザ光
源、前記ビームスプリッタ、前記ミラー、前記受光素子及び前記アクチュエータが固定さ
れるスライドベースとを有し、
前記光ディスクにレーザ光を照射し該光ディスクよりデータを読み出す又は光ディスク
にデータを記録する光ヘッドにおいて、
前記ミラーのレーザ光を反射する反射面が入射した発散光であるレーザ光を平行光とし
て反射することができる形状に形成されていると共に、前記コリメータレンズを省略した
ことを特徴とする光ヘッド。
【請求項３】
前記ミラーの反射面には複数枚の平面反射板がそれぞれ角度をかえて配置されているこ
とを特徴とする請求項２に記載の光ヘッド。
【請求項４】
前記ミラーの反射面が非球面状の曲面で形成されていることを特徴とする請求項２に記
載の光ヘッド。
【請求項５】
前記ミラーの反射面は回転放物面状に形成されていることを特徴とする請求項４に記載
の光ヘッド。
【発明の詳細な説明】
【技術分野】
【０００１】
本発明は、光ディスクにレーザ光を照射し該光ディスクに記録されているデータを読み
出したり、該光ディスクに書き込んだりする光ヘッドを組み立てるときに用いられる光ヘ
ッド組立治具に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は光ディスクの記録面に対しレーザ光を照射し、反射してきた光を検
出する光ヘッドを備えている。
【０００３】
図５は従来の光ヘッドの配置図である。図５に示す光ヘッドはそれには限定されないが
ここでは、光ディスクに記録されているデータを読出す読出し専用の光ヘッドである。図
５に示すようにレーザ光源Ｌｄと、レーザ光を３ビーム化するグレーティングＧｒと、ミ
ラー９３と、コリメータレンズＬｃと、対物レンズＬｂと、ビームスプリッタＢｓと、受
光素子Ｐｄとを有している。
【０００４】
図６は従来の光ヘッドの側断面図である。光ヘッドＢはスライドベース９１と、スライ
ドベース９１に取り付けられるアクチュエータ９２とを有している。スライドベース９１
はアクチュエータ９２を配置するためのアクチュエータ取付部９１１と、レーザ光源Ｌｄ
を取り付けるための光源取付部９１２と、スライドベース９１が摺動するときに摺動ガイ
ドとなるガイド軸と摺動可能に係合するための摺動孔９１３とを備えている。
【０００５】
スライドベース９１には、レーザ光源Ｌｄ、グレーティングＧｒ、ビームスプリッタＢ
ｓ、ミラー９３、コリメータレンズＬｃとが配置される。レーザ光源Ｌｄはレーザホルダ
Ｌｈに圧入固定されるものであり、レーザホルダＬｈをスライドベース９１の光源取付部
９１２に取り付けることで、レーザ光源Ｌｄをスライドベース９１に取り付けることがで
きる。レーザホルダＬｈはレーザ光源Ｌｄのレーザ光出射部がスライドベース９１の内側
を向くように取り付けられている。
【０００６】
アクチュエータ９２はアクトベース９２１と、対物レンズＬｂを保持するレンズホルダ
９２２と、アクトベース９２１に固定される支持部材９２３と、レンズホルダ９２２と支
持部材９２３を連結し、レンズホルダ９２２に電力を供給するとともに弾性支持するワイ
ヤーばね９２４とを有している。
【０００７】
レンズホルダ９２２は中央に対物レンズＬｂを保持し、レーザ光が透過するための貫通
孔が形成されており、永久磁石９２０に挟まれるように配置されている。レンズホルダ９
２２にはレンズホルダ９２２を駆動しレンズホルダ９２２に保持されている対物レンズＬ
ｂと光ディスクＤｓとの距離を調整するフォーカシングコイル（図示省略）と、対物レン
ズＬｂを光ディスクＤｓの半径方向に移動させるためのトラッキングコイル（図示省略）
とを備えている。
【０００８】
レーザ光源Ｌｄより照射されたレーザ光グレーティングＧｒにて３ビーム化され、一部
はビームスプリッタＢｓを透過する。ミラー９３の反射面９３１は平面で形成されており
、ビームスプリッタＢｓを透過したレーザ光は、ミラー９３で反射されてコリメータレン
ズＬｃに入射する。ミラー９３で反射されたレーザ光は発散光であり、コリメータレンズ
Ｌｃに入射したレーザ光は平行光として出射され、アクチュエータ９２に取り付けられて
いる対物レンズＬｂに入射する。対物レンズＬｂに入射したレーザ光は集光され光ディス
クＤｓの記録面にレーザスポットとして照射される。
【０００９】
このときレーザ光の光軸と光ディスクＤｓの記録層とが垂直になるように光ヘッドＢを
調整する。ビームスプリッタＢｓは入射されたレーザ光の半分を透過し半分を反射するも
のであり、光ディスクＤｓで反射した光を受光素子Ｐｄに導くものである。受光素子Ｐｄ
は受光した光を電気信号に変換するものであり、信号の強弱によってデータを読み取るも
のである。
【００１０】
光ディスクの記録層に形成される凹凸（トラック）は、非常に微細なものであり、この
凹凸に正確にレーザ光を集光させて照射しなくてはならない。そのためには、レーザ光の
各光学素子への入射又は各光学素子からの出射する位置、角度の精度が高くなくてはなら
ない。
【００１１】
特開２００５−１４１８５３号公報に示す発明では、ハウジングに立上げミラー部と、
コリメータレンズ部とが一体に形成されているものが、示されている。この場合、少なく
とも、コリメータレンズと立上げミラーの相対的な位置を調整しなくてもよく、それだけ
、手間と時間を省くことができる。
【特許文献１】特開２００５−１４１８５３号公報
【発明の開示】
【発明が解決しようとする課題】
【００１２】
従来の光ヘッドでは、光ディスクのトラックにレーザ光のレーザスポットを正確に結像
させるためには光学素子の位置決め精度が高くなくてはならず、組みつけに手間と時間が
多くかかる。また、光学素子が配置されるスライドベースには位置決め精度を上げるため
のリブ等の支持部や、接着固定のための接着剤が必要であり、構造が複雑で、それだけ、
加工に手間がかかる。
【００１３】
また、特開２００５-１４１８５３号公報に記載の発明では、立上げミラー、コリメー
タレンズの相対位置を決める手間と時間を省くことができるが、ハウジングの形状が複雑
であり、また、スライドベースに該ハウジングを配置できるように形成しなくてはならず
、構造が複雑になりやすい。
【００１４】
さらに、レーザ光が多くの光学素子を透過したり、光学素子にて反射されることで、該
レーザ光の光量が減少したり、不要な収差が発生したりして、レーザ光の光ディスクへの
照射精度、受光素子での受光精度が低下し、光ディスクへのデータの記録及び（又は）光
ディスクからのデータの読出し精度が低下する恐れがある。
【００１５】
そこで本発明は、光ディスクにレーザ光を照射する光ヘッドであって、レーザ光源より
出射された発散光であるレーザ光をコリメータレンズを用いることなく平行光にかえるこ
とができ、コリメータレンズを省略し、それだけ、構成部材を省略することで軽量化し駆
動に必要なエネルギを削減するとともに、位置決め、固定、調整の手間と時間を省略して
、製造コストを削減することを目的とする。
【００１６】
また本発明は、光ディスクにレーザ光を照射する光ヘッドであって、コリメータレンズ
を省略することで、レーザ光がコリメータレンズを透過するときのレーザ光の光量が減少
したり、収差が発生したりするのを防止することができる光ヘッドを提供することを目的
とする。
【００１７】
また本発明によると、構成部材を減らすことで、光ヘッドを軽量化し駆動を円滑にする
ことができるとともに、光量の減少及び収差の発生を防止し、光ディスクへのデータの記
録及び光ディスクからのデータの読出しを円滑且つ精度よく行うことができる。
【課題を解決するための手段】
【００１８】
上記目的を達成するために本発明は、レーザ光を出射するレーザ光源と、前記レーザ光
を３ビーム化するグレーティングと、前記レーザ光の一部を反射し一部を透過するビーム
スプリッタと、前記レーザ光を反射し該レーザ光の光路を屈曲させてコリメータレンズに
向けて反射するミラーと、前記ミラーで反射されたレーザ光を平行光にするコリメータレ
ンズと、前記レーザ光を光ディスクに照射するための対物レンズと、受光したレーザ光を
電気信号に変換する受光素子と、前記対物レンズを保持すると共に、前記光ディスクに正
確にレーザ光を照射するように移動させるアクチュエータと、前記レーザ光源、前記グレ
ーティング、前記ビームスプリッタ、前記ミラー、前記受光素子及び前記アクチュエータ
が固定されるスライドベースとを有し、前記光ディスクにレーザ光を照射し該光ディスク
よりデータを読み出す又は光ディスクにデータを記録する光ヘッドにおいて、前記ミラー
のレーザ光を反射する反射面が截頭球面状に形成され入射した発散光であるレーザ光を平
行光として反射することができると共に、前記コリメータレンズを省略したことを特徴と
する光ヘッドを提供する。
【００１９】
この構成によると、レーザ光が前記ミラーにて平行光として反射されるので、発散する
レーザ光を平行光にするためのコリメータレンズを省略することができるとともに、該コ
リメータレンズを取り付けるためのリブ、固定するための接着剤等がふようになり、光ヘ
ッドの構成部材を大幅に減らすことができる。構成部材を削減することで、光ヘッドの組
み立てに必要なコストを大幅に削減することができるとともに、光ヘッドを軽量化するこ
とができ、駆動に必要なエネルギを削減することができる。
【００２０】
また、発散光であるレーザ光を前記ミラーにて反射するして平行光として前記対物レン
ズに照射することができるので、前記コリメータレンズの位置決め作業を省略することが
でき、それだけ、調整、組み立てに必要な手間と時間を大幅に削減することができる。
【００２１】
さらに、発散光であるレーザ光を前記ミラーにて反射するして平行光として前記対物レ
ンズに照射することができ、前記コリメータレンズを省略することができるので、レーザ
光がコリメータレンズを透過することによる、光量の低下、収差の発生を防止することが
できる。
【００２２】
上記目的を達成するために本発明は、レーザ光を出射するレーザ光源と、前記レーザ光
を分光するビームスプリッタと、前記レーザ光を反射し該レーザ光の光路を屈曲させるミ
ラーと、前記レーザ光を平行光にするコリメータレンズと、前記レーザ光を光ディスクに
照射するための対物レンズと、受光したレーザ光を電気信号に変換する受光素子と、前記
対物レンズを保持すると共に、前記光ディスクに正確にレーザ光を照射するように移動さ
せるアクチュエータと、前記レーザ光源、前記ビームスプリッタ、前記ミラー、前記受光
素子及び前記アクチュエータが固定されるスライドベースとを有し、前記光ディスクにレ
ーザ光を照射し該光ディスクよりデータを読み出す又は光ディスクにデータを記録する光
ヘッドにおいて、前記ミラーのレーザ光を反射する反射面が入射した発散光であるレーザ
光を平行光として反射することができる形状に形成されていると共に、前記コリメータレ
ンズを省略したことを特徴とする光ヘッドを提供する。
【００２３】
この構成によると、レーザ光が前記ミラーにて平行光として反射されるので、発散する
レーザ光を平行光にするためのコリメータレンズを省略することができるとともに、該コ
リメータレンズを取り付けるためのリブ、固定するための接着剤等がふようになり、光ヘ
ッドの構成部材を大幅に減らすことができる。構成部材を削減することで、光ヘッドの組
み立てに必要なコストを大幅に削減することができるとともに、光ヘッドを軽量化するこ
とができ、駆動に必要なエネルギを削減することができる。
【００２４】
また、発散光であるレーザ光を前記ミラーにて反射するして平行光として前記対物レン
ズに照射することができるので、前記コリメータレンズの位置決め作業を省略することが
でき、それだけ、調整、組み立てに必要な手間と時間を大幅に削減することができる。
【００２５】
さらに、発散光であるレーザ光を前記ミラーにて反射するして平行光として前記対物レ
ンズに照射することができ、前記コリメータレンズを省略することができるので、レーザ
光がコリメータレンズを透過することによる、光量の低下、収差の発生を防止することが
できる。
【００２６】
上記構成において、前記ミラーの反射面は複数枚の平面反射板がそれぞれ角度をかえて
配置されているものであってもよく、非球面状の曲面で形成されているものであってもよ
い。前記非球面状の曲面として、回転放物面状を挙げることができる。また、非対称に形
成されている凹曲面を広く採用することができる。
【発明の効果】
【００２７】
本発明によると、光ディスクにレーザ光を照射する光ヘッドであって、レーザ光源より
出射された発散光であるレーザ光をコリメータレンズを用いることなく平行光にかえるこ
とができ、コリメータレンズを省略し、それだけ、位置決め、固定、調整の手間と時間を
省略して、製造コストを削減することができる。
【００２８】
また本発明によると、光ディスクにレーザ光を照射する光ヘッドであって、コリメータ
レンズを省略することで、レーザ光がコリメータレンズを透過するときのレーザ光の光量
が減少したり、収差が発生したりするのを防止することができ、それだけ、光ディスクか
らのデータの読出し又は光ディスクへのデータの記録の精度を高めることができる。
【００２９】
また本発明によると、構成部材を減らすことで、光ヘッドを軽量化し駆動を円滑にする
ことができるとともに、光量の減少及び収差の発生を防止し、光ディスクへのデータの記
録及び光ディスクからのデータの読出しを円滑且つ精度よく行うことができる。
【発明を実施するための最良の形態】
【００３０】
以下に本発明の実施形態を図面を参照して説明する。図１は光ヘッドの配置図であり、
図２は図１に示す光ヘッドの平面図であり、図３は図２に示す光ヘッドの側断面図である
。図１、２、３に示す光ヘッドはそれには限定されないがここでは、光ディスクに記録さ
れているデータを読出す読出し専用の光ヘッドである。
【００３１】
図１に示すように光ヘッドＡはレーザ光源Ｌｄと、レーザ光を３ビーム化するグレーテ
ィングＧｒと、ビームスプリッタＢｓと、ミラー３と、対物レンズＬｂと、受光素子Ｐｄ
とを有している。各光学素子の配置は図１に示すとおりであるが、それに限定されるもの
ではなく、光ヘッドＡの性能を低下させない程度に順番が異なっていたり、反射、透過が
異なっていても良い。
【００３２】
図２、３に示すように光ヘッドＡはスライドベース１とアクチュエータ２とを有してお
り、スライドベース１には、レーザ光源Ｌｄ、グレーティングＧｒ、ビームスプリッタＢ
ｓ、ミラー３とが取り付けられ、対物レンズＬｂはアクチュエータ２に取り付けられる。
スライドベース１はアクチュエータ２を配置するためのアクチュエータ取付部１１と、レ
ーザ光源Ｌｄを取り付けるための光源取付部１２と、スライドベース１が摺動するときに
摺動ガイドとなるガイド軸と摺動可能に係合するための摺動孔１３とを備えている。
【００３３】
レーザ光源ＬｄはレーザホルダＬｈに圧入されている。レーザ光源Ｌｄが圧入されたレ
ーザホルダＬｈをスライドベース１の光源取付部１２に配置し、固定する。レーザホルダ
Ｌｈはレーザ光源Ｌｄのレーザ光出射部がスライドベース１の内側を向くように、すなわ
ち、グレーティングＧｒに向けてレーザ光を出射するように取り付けられている。レーザ
光源Ｌｄ、グレーティングＧｒ、ビームスプリッタＢｓ、ミラー３はスライドベース１内
部に一直線上に配置されている。ビームスプリッタＢｓの側面には受光素子Ｐｄが取り付
けられている（図２参照）。
【００３４】
図２、図３に示すように、アクチュエータ２はアクトベース２１と、対物レンズＬｂを
保持するレンズホルダ２２と、アクトベース２１に固定され、レンズホルダ２２を支持す
る支持部材２３と、レンズホルダ２２と支持部材２３を連結し、レンズホルダ２２に電力
を供給するとともに弾性支持するワイヤーばね２４とを有している。
【００３５】
アクトベース２１は底部２１１と、底部２１１より突出する突出部２１２と、底部２１
１に形成されレンズホルダ２２を非接触に貫通するヨーク２１３と、スライドベース１に
形成されたアクチュエータ取付部１１と係合する取付孔２１０とを有している。突出部２
１２は対向する位置に２個形成されている。ヨーク２１３は２個の突出部２１２の間に突
出部２１２とは直交する方向に対向して２個形成されている。突出部２１２には永久磁石
２１４が配置されており、永久磁石２１４より発生する磁界がレンズホルダ２２に作用す
る。
【００３６】
レンズホルダ２２はレーザ光が透過するための貫通孔２２１が形成されており、貫通孔
を挟むようにヨーク２１３が挿入されるヨーク挿入用の孔２２２が形成されている。レン
ズホルダ２２の貫通孔２２１には対物レンズＬｂが固定されている。レンズホルダ２２に
はレンズホルダ２２を駆動しレンズホルダ２２に保持されている対物レンズＬｂと光ディ
スクＤｓとの距離を調整するフォーカシングコイル（図示省略）と、対物レンズＬｂを光
ディスクＤｓの半径方向に移動させるためのトラッキングコイル（図示省略）とを備えて
いる。
【００３７】
レンズホルダ２２はアクトベース２１のヨーク２１３がヨーク挿入用の孔を貫通するよ
うに配置される。このようにレンズホルダ２２を配置することで突出部２１２に配置され
た永久磁石２１４の磁界がレンズホルダ２２に作用する。アクトベース２１には支持部材
２３が配置されており、レンズホルダ２２は弾性を有するワイヤーばね２４を介して支持
部材２３に支持されている。レンズホルダ２２はアクトベース２１の底部２１１とは接触
しないように支持されている。
【００３８】
アクチュエータ２はスライドベース１に接着剤にて固定される。アクトベース２１の取
付孔２１０はアクチュエータ２をスライドベース１に配置したときにスライドベース１の
アクチュエータ取付部１１に対応する場所に形成されており、アクチュエータ取付部１１
とアクトベース２１の取付孔２１０とを係合して接着剤にて接着し、組み立てられる。
【００３９】
図４は本発明にかかる光ヘッドに用いられるミラーの断面図である。ミラー３の反射面
３１は凹曲面状に形成されている。反射面３１の形状はそれには限らないが、ここでは、
截頭球形状である。ビームスプリッタＢｓを透過したレーザ光はミラー３の反射面３１に
照射される。ミラー３に向けて照射されるレーザ光は発散光であり、反射鏡の反射面３１
で反射されるレーザ光は照射方向が調整されて、対物レンズＬｂに向けて平行光で出射さ
れる。
【００４０】
図４に示すように反射面３１に入射するレーザ光は水平方向より入射され、反射面３１
で反射する。このとき、反射面３１は曲面状に形成されているので、反射面３１の位置に
よって入射角度が異なり、そのレーザ光が反射すると、反射したレーザ光は平行光になる
。
【００４１】
光ヘッドＡによる光ディスクへのレーザ光を照射するときの各光学素子の作用は以下の
とおりである。レーザ光源Ｌｄより照射されたレーザ光グレーティングＧｒにて３ビーム
化され、グレーティングＧｒを透過したレーザ光はビームスプリッタＢｓに入射する。ビ
ームスプリッタＢｓは入射されたレーザ光の半分を透過し半分を反射するミラーであり、
一部が透過し、ミラー３で反射され、レーザ光の進行方向は対物レンズＬｂに向けて（す
なわち、上方に）屈曲される。このとき、反射光は平行光となって、ミラー３から出射さ
れる。
【００４２】
ミラー３に反射されたレーザ光はアクチュエータ２に保持された対物レンズＬｂに入射
する。対物レンズＬｂに入射したレーザ光は集光され、レーザスポットとして光ディスク
Ｄｓの記録面の所定の位置に照射するように対物レンズＬｂから出射する。
【００４３】
光ディスクＤｓに照射されたレーザ光は記録層で反射し、対物レンズＬｂを透過してミ
ラー３にて反射され、ビームスプリッタＢｓに入射する。ビームスプリッタＢｓに入射し
たレーザ光のうち半分は受光素子に向けて反射する。受光素子Ｐｄは受光したレーザ光を
電気信号に変換するものであり、その変換された電気信号の強さによってデータを読み取
るものである。
【００４４】
光ディスクＤｓにレーザ光を照射するときに、レーザ光の光軸と光ディスクＤｓの記録
層とが垂直になるようにレーザ光を照射するものが好ましい。レーザ光の光軸と光ディス
クＤｓの記録層とが垂直になることで反射光が正確に光ヘッドに入射する。
【００４５】
このようにレーザ光がミラー３にて平行光として反射されるので、発散するレーザ光を
平行光にするためのコリメータレンズを省略することができるとともに、コリメータレン
ズを取り付けるためのリブ、固定するための接着剤等が必要でなくなり、構成部材を大幅
に減らすことができる。構成部材を削減することができるとともにコリメータレンズの位
置決め工程を省略することができるので、光ヘッドの組み立てに必要な手間と時間を大幅
に削減することができる。
【００４６】
ミラー３を調整することで平行光のレーザ光を対物レンズＬｂに照射することができ、
コリメータレンズを省略することができるので、それだけ、レーザ光がコリメータレンズ
を透過することによる、光量の低下、収差の発生を防止することができる。
【００４７】
以上のことより、光ディスクへのデータの記録及び光ディスクからのデータの読出しを
円滑且つ精度よく行うことができる。
【００４８】
上記実施例において、ミラーの反射面は截頭球面状に形成されているものを例に説明し
ているが、それに限定されるものではなく、放物線を回転させた回転放物面状に形成され
たもの、複数枚の反射部をそれぞれ所定の角度で配置したもの等、レーザ光を反射すると
き、レーザ光源を中心とする発散光を平行光にして反射することができる反射面を備えて
いるものを広く採用することができる。
【００４９】
上記実施例では光ヘッドに用いられる光学素子が挙げて攻勢を説明しているが、それに
限定されるものではなく、ミラーに入射したレーザ光を対物レンズに入射するように反射
するものを広く採用することができる。
【００５０】
上記実施例では、本発明にかかる光ヘッドの一例を示す図面を用いて説明しているが、
形状、構成等について、これらに限定されるものではない。本発明の光ヘッドとして、レ
ーザ光を発散光から平行光にすることができるとともに、光ディスクで反射した平行光で
あるレーザ光を集束させることができるミラーを、レーザ光の光路を屈曲させるために用
いるものを広く挙げることができる。
【産業上の利用可能性】
【００５１】
本発明の光ヘッド装置は、ＤＶＤ、ＣＤ等の光ディスクを記録媒体とする光ディスク装
置において適用することができる。
【図面の簡単な説明】
【００５２】
【図１】本発明にかかる光ヘッドの配置図である。
【図２】図１に示す光ヘッドの平面図である。
【図３】図２に示す光ヘッドの側断面図である。
【図４】本発明にかかる光ヘッドに用いられるミラーの拡大断面図である。
【図５】従来の光ヘッドの配置図である。
【図６】図５に示す光ヘッドの側断面図である。
【符号の説明】
【００５３】
Ａ  光ヘッド
Ｌｄ  レーザ光源
Ｌｈ  レーザホルダ
Ｇｒ  グレーティング
Ｂｓ  ビームスプリッタ
Ｌｂ  対物レンズ
Ｐｄ  受光素子
１  スライドベース
１１  アクチュエータ取付部
１２  光源取付部
１３  摺動孔
２  アクチュエータ
２１  アクトベース
２１０  取付孔
２１１  底部
２１２  突出部
２１３  ヨーク
２１４  永久磁石
２２  レンズホルダ
２２１  貫通孔
２２２  ヨーク挿入用孔
２３  支持部材
２４  ワイヤーばね
３  ミラー
３１  反射面
【図１】
2007058900.tif 000003
【図２】
2007058900.tif 000004
【図３】
2007058900.tif 000005
【図４】
2007058900.tif 000006
【図５】
2007058900.tif 000007
【図６】
2007058900.tif 000008